(57)【要約】【課題】貯水槽の内部構造を大幅に変更することなく、給水圧力が比較的低い場合であっても有効に水の停滞領域を解消し、ひいては飲用に適した水を安定的に供給することができる新規な貯水槽等を提供する。【解決手段】貯水槽１内の給水管２に回転自在に配置される回転部材７と、上記回転部材７を回転可能に支持する支持部材６と、を備え、回転部材７には、上記給水管２から給水された水を貯水槽１内に吐水する吐水穴と、上記給水管から給水された水の給水圧力を該回転部材の回転力に変換する変換手段と、が設けられ、回転部材７は、上記支持部材６により支持されながら上記変換手段を介して回転される。【選択図】  図４
2019108780.tif 000002
【特許請求の範囲】
【請求項１】
貯水槽内に固定された給水管の先端に回転自在に配置される回転部材と、上記回転部材を回転可能に支持する支持部材と、を備え、
上記回転部材には、上記給水管の先端から給水された水を貯水槽内に吐水する吐水穴と、上記給水管から給水された水の給水圧力を該回転部材の回転力に変換する変換手段と、がそれぞれ設けられ、
上記回転部材は、上記支持部材により支持されながら、上記浮力付与手段により水中で浮遊した状態で、上記変換手段を介して回転されるように構成されていることを特徴とする回転式吐水具。
【請求項２】
前記変換手段は、前記回転部材に形成された前記吐水穴の形成位置よりも前記給水管側に形成され、該給水管からの給水圧力を受ける複数の羽根板部を備えてなることを特徴とする請求項１記載の回転式吐水具。
【請求項３】
前記変換手段は、前記回転部材内に流入した水を、それぞれ該回転部材の回転軌跡により形成される円の接線方向に水を吐水する吐水口を有する複数の湾曲吐水管を備え、
水中内におけるそれぞれの湾曲吐水管の吐水口からの吐水により、この回転部材が平面視において時計回り方向又はその逆方向に回転するように構成されていることを特徴とする請求項１記載の回転式吐水具。
【請求項４】
前記回転部材は、円盤状に成形された回転側円盤部を有しているとともに、この回転側円盤部の外側面の中央には、上面が湾曲面とされた凸部が形成され、
前記支持部材は、固定側円盤部を有しているとともに、この固定側円盤部の中央には、上記凸部が下方又は側方から挿入された凹部が形成されていることを特徴とする請求項２記載の回転式吐水具。
【請求項５】
前記変換手段は、前記回転部材の回転中心から放射方向とは傾斜し、先端には前記吐水口を有する複数の傾斜吐水管を備え、
水中内における上記傾斜吐水管の吐水口からの吐水により、この回転部材が平面視において時計回り方向又はその逆方向に回転するように構成されていることを特徴とする請求項１記載の回転式吐水具。
【請求項６】
前記変換手段は、前記回転部材の回転中心からの放射方向に長さを有し、先端には前記吐水口としてのメイン吐水口を有する複数のメイン吐水管と、これらのメイン吐水管の中途部に形成され該メイン吐水管内に流入した水を前記回転部材の回転軌跡により形成される円の接線方向に吐水するとともに上記メイン吐水口からの吐水量よりも少ない吐水量の水を前記吐水口としてのサブ吐水口から吐水するサブ吐水管と、を備え、
水中内における上記サブ吐水管のサブ吐水口からの吐水により、前記回転部材が平面視において時計回り方向又はその逆方向に回転するように構成されていることを特徴とする請求項１記載の回転式吐水具。
【請求項７】
前記それぞれのサブ吐水管の先端は、前記メイン吐水管の中途部から突出してなるとともに、該メイン吐水管内には、該メイン吐水管内の水を上記サブ吐水管内に流入させるガイド部が形成されていることを特徴とする請求項６記載の回転式吐水具。
【請求項８】
前記複数の湾曲吐水管又は前記複数の傾斜吐水管若しくは前記複数のメイン吐水管は、前記回転部材の回転中心から点対称に二つ形成されていることを特徴とする請求項３，５又は６記載の何れかの回転式吐水具。
【請求項９】
前記回転部材には、該回転部材が貯水槽内に貯水された水中において浮力を付与する浮力付与手段が設けられてなることを特徴とする請求項１，２，３，４，５，６，７又は８記載の何れかの回転式吐水具。
【請求項１０】
水が貯水される貯水槽本体と、この貯水槽内に配置され該貯水槽内に水を給水する給水管と、上記給水管から離間した位置に配置され該貯水槽内の水を外部に排出する排水管と、を備え、
上記給水管の先端には、前記請求項１，２，３，４，５，８，７，８又は９記載の何れかの回転式吐水具が装着されていることを特徴とする貯水槽。
【発明の詳細な説明】
【技術分野】
【０００１】
本発明は、浄水場から送られた浄水を一時的に貯留し、需要量に応じて流出される機能を備えた配水池とも称される貯水槽に配置され、浄水を該貯水槽内に給水する給水管に配置される回転式吐水具及びこの回転式吐水具が配置された貯水槽に関するものである。
【背景技術】
【０００２】
上記貯水槽は、集合住宅や周辺地域の水需要に応じて所定の配水量が貯水される時間的変動調整機能ばかりではなく、非常時対応機能が要求されている。とりわけ、上記非常時対応機能は、地震等の災害を原因に、水道管が破損し長時間断水した場合であっても被災者に対して２４時間に亘って飲料水を供給することができ、また、火災が発生した場合の初期消火のための水源として対応可能とすべき機能であり、近年では、こうした非常時対応機能が極めて重要視され、この結果、貯水槽は大容量化しているのが実情である。
【０００３】
ところで、上述した貯水槽には、上記浄水を給水する給水管（流入管）と、貯水槽内の浄水を流出する排水管（流出管）とが設けられており、浄水場からの浄水は、上記給水管（流入管）を介してこの貯水槽内に流入し、該貯水槽内を通過して上記排水管（流出管）から外部に供給されるように構成されている。しかしながら、上記貯水槽内では、上記給水管（流入管）から排水管（流出管）に亘って流れる浄水の流動過程においては、該貯水槽内の浄水全体が流動することはなく、必ず停滞領域（滞留領域）が存在する。そして、こうした浄水が長時間に亘って停滞又は滞留することは、飲用として利用される水質の悪化を招き好ましくない。すなわち、貯水槽内の一部に上記停滞領域が存在した場合には、該停滞領域における塩素濃度が低下し雑菌の繁殖に伴って水質が悪化する危険性が高まる。そこで、こうした課題を解決するため、上記貯水槽内に複数の仕切り板を設け、これらの仕切り板により該貯水槽内を複数の領域に区画するとともに、該仕切り板の上端側や下端側にそれぞれ水が通過する開口を設け、こうした仕切り板と開口とにより貯水槽内の水が流動する構成を採用したもの（特許文献１参照）や、貯水槽内に位置する給水管（流入管）の端部に、放射方向に水を放出させる開口が形成された円筒状の周壁部を備えた整流手段を設けたもの（特許文献２参照）が提案されている。
【先行技術文献】
【特許文献】
【０００４】
【特許文献１】特開２００６−１１１２８７号公報
【特許文献２】特許第５４２７１４６号公報
【発明の概要】
【発明が解決しようとする課題】
【０００５】
しかしながら、上記特許文献１に開示されたものでは、これまでの貯水槽の内部構造を大幅に変更しなければならず、製造コストが大幅に嵩むばかりではなく、上記複数の仕切り板により区画された個々の貯水槽内部の清掃作業にも支障を来たす。また、上記特許文献２に開示されたものでは、全体形状が円筒状に成形された貯水槽ではなく、水平方向に長さを有する直方体状に成形された貯水槽である場合には、必ずしも上記停滞領域を解消できない可能性が危惧され、さらに、上記停滞領域の発生を防止するまでに上記周壁部から放射状に水を放出させるためには、相当程度高い給水圧力により上記給水管（流入管）から水を給水させなければならないが、このように給水圧力を増加させるためには別途ポンプ等を流路の途中に配置しなければならないばかりではなく、地震等の発生により停電した際には、上記ポンプは停止されてしまい、上記停滞領域の解消にはならない。
【０００６】
そこで、本発明は、上述した従来の貯水槽が有する課題を解決するために提案されたものであって、貯水槽の内部構造を大幅に変更することなく、給水圧力が比較的低い場合であっても有効に水の停滞領域を解消し、ひいては飲用に適した水を安定的に供給することができる新規な貯水槽等を提供することを目的とするものである。
【課題を解決するための手段】
【０００７】
本発明は、上記課題を解決するために提案されたものであって、第１の発明（請求項１記載の発明）は、回転式吐水具に係るものであって、貯水槽内に固定された給水管の先端に回転自在に配置される回転部材と、上記回転部材を回転可能に支持する支持部材と、を備え、上記回転部材には、上記給水管の先端から給水された水を貯水槽内に吐水する吐水穴と、上記給水管から給水された水の給水圧力を該回転部材の回転力に変換する変換手段と、がそれぞれ設けられ、上記回転部材は、上記支持部材により支持されながら、上記浮力付与手段により水中で浮遊した状態で、上記変換手段を介して回転されるように構成されていることを特徴とする
ものである。
【０００８】
この第１の発明に係る回転式吐水具は、上述した通り、回転部材と支持部材とを備え、該回転部材は、上記支持部材により支持されながら、上記変換手段を介して回転されるように構成されていることから、上記貯水槽内に配置された給水管に配置されることにより、該給水管から該回転部材内に移動した水は、上記回転する回転部材に形成された吐水穴から貯水槽内に吐水される。すなわち、この吐水穴から貯水槽内に吐水される水は、上記回転部材の回転中心を中心に３６０度に亘って吐水される。したがって、この第１の発明に係る回転式吐水具によれば、貯水槽の内部構造を大幅に変更することなく、給水圧力が比較的低い場合であっても有効に水の停滞領域を解消し、ひいては飲用に適した水を安定的に供給することができる新規な貯水槽を提供することが可能となるとともに、ポンプ等を流路の途中に配置する必要性もなく、地震等の発生により停電した場合であっても、上記給水管から水が貯水槽内に給水される限り、貯水槽内における水の停滞領域を有効に解消することが可能となる。
【０００９】
なお、上記変換手段は、少なくとも上記給水管から給水された水の給水圧力を該回転部材の回転力に変換する機能を備えていれば、後述する第２、第３、第５又は第６発明以外の構成とされたものであっても良い。また、上記給水管から給水される水の方向は特に限定されるものではなく、上方又は下方若しくは水平方向であっても良い。
【００１０】
また、第２の発明（請求項２記載の発明）は、上記第１の発明において、前記変換手段は、前記回転部材に形成された前記吐水穴の形成位置よりも前記給水管側に形成され、該給水管からの給水圧力を受ける複数の羽根板部を備えてなることを特徴とするものである。
【００１１】
この第２の発明に係る回転式吐水具では、上記給水管の先端側において、上記回転部材に形成された上記複数の羽根板部には、該給水管からの給水圧力が作用し、この給水圧力が回転力に変換されて、該回転部材全体が回転させられる。また、上記羽根板部は、上記吐水穴の形成位置よりも給水管側に形成されていることから、上記吐水穴からは、この回転部材の回転中心を中心に３６０度に亘って水が吐水される。
【００１２】
また、第３の発明（請求項３記載の発明）は、上記第１の発明において、前記回転部材内に流入した水を、それぞれ該回転部材の回転軌跡により形成される円の接線方向に水を吐水する吐水口を有する複数の湾曲吐水管を備え、水中内におけるそれぞれの湾曲吐水管の吐水口からの吐水により、この回転部材が平面視において時計回り方向又はその逆方向に回転するように構成されていることを特徴とするものである。
【００１３】
上記第３の発明に係る回転式吐水具では、貯水槽内において、上記複数の湾曲吐水管の吐水口から吐水されると、これらの吐水圧に基づく（該貯水槽に既に貯水されている）水の反力により、回転部材は回転させられ、該回転部材の回転中心を中心に３６０度に亘って水が吐水される。
【００１４】
したがって、上記第２及び第３の発明に係る回転式吐水具によれば、貯水槽の内部構造を大幅に変更することなく、給水圧力が比較的低い場合であっても有効に水の停滞領域を解消し、ひいては飲用に適した水を安定的に供給することができる新規な貯水槽を提供することが可能となるとともに、ポンプ等を流路の途中に配置する必要性もなく、地震等の発生により停電した場合であっても、上記給水管から水が貯水槽内に給水される限り、貯水槽内における水の停滞領域を有効に解消することが可能となる。
【００１５】
また、第４の発明（請求項４記載の発明）は、上記第２の発明において、前記回転部材は、円盤状に成形された回転側円盤部を有しているとともに、この回転側円盤部の外側面の中央には、上面が湾曲面とされた凸部が形成され、
前記支持部材は、固定側円盤部を有しているとともに、この固定側円盤部の中央には、上記凸部が下方又は側方から挿入された凹部が形成されていることを特徴とするものである。
【００１６】
また、第５の発明（請求項５記載の発明）は、上記第１の発明において、前記変換手段は、前記回転部材の回転中心から放射方向とは傾斜し、先端には前記吐水口を有する複数の傾斜吐水管を備え、水中内における上記傾斜吐水管の吐水口からの吐水により、この回転部材が平面視において時計回り方向又はその逆方向に回転するように構成されていることを特徴とするものである。
【００１７】
この第５の発明に係る回転式吐水具によれば、先に説明した発明と同じように、貯水槽の内部構造を大幅に変更することなく、給水圧力が比較的低い場合であっても有効に水の停滞領域を解消することができる。特に、この第５の発明に係る回転式吐水具では、回転部材の回転中心からの放射方向とは傾斜してなり先端には前記吐水口を有する複数の傾斜吐水管を、前記変換手段として採用していることから、各吐水口から吐水される水の反力により、回転部材はゆっくり回転させられ、該回転部材の回転中心を中心に３６０度に亘って水が吐水され、こうした動作により該貯水槽内の水の停滞領域を解消することができる。
【００１８】
なお、上記回転部材の回転中心からの放射方向とは傾斜する傾斜吐水管の傾斜角度は、吐水口から吐水される水の速度にもより、特に限定されるものではないが、貯水槽内の水の停滞領域をより解消する目的から、２〜２５度であることが望ましい。
【００１９】
また、第６の発明（請求項６記載の発明）は、上記第１の発明において、前記変換手段は、前記回転部材の回転中心からの放射方向に長さを有し、先端には前記吐水口としてのメイン吐水口を有する複数のメイン吐水管と、これらのメイン吐水管の中途部に形成され該メイン吐水管内に流入した水を前記回転部材の回転軌跡により形成される円の接線方向に吐水するとともに上記メイン吐水口からの吐水量よりも少ない吐水量の水を前記吐水口としてのサブ吐水口から吐水するサブ吐水管と、を備え、水中内における上記サブ吐水管のサブ吐水口からの吐水により、前記回転部材が平面視において時計回り方向又はその逆方向に回転するように構成されていることを特徴とするものである。
【００２０】
上記第６の発明では、上述した通り、メイン吐水管と、このメイン吐水管の中途部に形成されたサブ吐水管とを備え、このサブ吐水管は、上記メイン吐水管の中途部に形成され該メイン吐水管内に流入した水を前記回転部材の回転軌跡により形成される円の接線方向に吐水するものであり、該サブ吐水口からの吐水により、前記回転部材が平面視において時計回り方向又はその逆方向に回転するように構成されている。そして、上記サブ吐水管からの吐水量は、上記メイン吐水口からの吐水量よりも少ない吐水量とされている。したがって、この第６の発明に係る回転式吐水具では、貯水槽内に吐水される量の多くは、上記複数のメイン吐水管の吐水口から吐水され、該メイン吐水管の吐水口からの吐水量よりも少ない吐水量の水が上記サブ吐水管の吐水口から吐水され、該サブ吐水管の吐水口から吐水により、この回転式吐水具全体に回転力が付与される。
【００２１】
したがって、この第６の発明に係る回転式吐水具によれば、先に説明した変換手段による場合と比較して、該変換手段により回転部材は回転するも、貯水槽内における水の停滞領域にまで吐水穴又は湾曲吐水管からの吐水が作用することがない事態を有効に解消することができる。
【００２２】
また、第７の発明（請求項７記載の発明）は、上記第６の発明において、前記それぞれのサブ吐水管の先端は、前記メイン吐水管の中途部から突出してなるとともに、該メイン吐水管内には、該メイン吐水管内の水を上記サブ吐水管内に流入させるガイド部が形成されていることを特徴とするものである。
【００２３】
この第７の発明に係る回転式吐水具では、上記メイン吐水管内に、該メイン吐水管内の水を上記サブ吐水管内に流入させるガイド部が形成されていることから、上記各メイン吐水管内に流入した水は、このガイド部にガイドされながら上記各サブ吐水管内に流入し、該サブ吐水管のサブ吐水口から吐水される。したがって、この第７の発明に係る回転式吐水具によれば、各サブ吐水口からは、確実に吐水され、該回転式吐水具を安定的に回転させることができる。
【００２４】
なお、上記ガイド部は、少なくとも上記メイン吐水管内の水を上記サブ吐水管内に流入させる機能を備えているものであれば、その形状や長さ、或いは配置位置は特に限定されないが、管状に成形し、上記メイン吐水管の中央に配置されたものが好ましい。こうしたガイドとすることにより、各サブ吐水口からの吐水量は、それぞれ均一なものとなり、スムーズに回転式吐水具を回転させることができる。
【００２５】
また、第８の発明（請求項８記載の発明）は、上記第３、第５又は第６の何れかの発明において、前記複数の湾曲吐水管又は前記複数の傾斜吐水管若しくは前記複数のメイン吐水管は、前記回転部材の回転中心から点対称に二つ形成されていることを特徴とするものである。
【００２６】
この第８の発明に係る回転式吐水具では、前記複数の湾曲吐水管又は前記複数の傾斜吐水管若しくは前記複数のメイン吐水管は、前記回転部材の回転中心から点対称に二つ形成されている。換言すれば、前記複数の湾曲吐水管又は前記複数の傾斜吐水管若しくは前記複数のメイン吐水管は、回転部材を中心として直線状にそれぞれ位置している。したがって、この第８の発明に係る回転式吐水具によれば、より一層安定した回転動作を保証することができる。
【００２７】
また、第９の発明（請求項９記載の発明）は、前記第１ないし第８の発明の何れかにおいて、前記回転部材には、該回転部材が貯水槽内に貯水された水中において浮力を付与する浮力付与手段が設けられてなることを特徴とするものである。
【００２８】
この第９の発明に係る回転式吐水具によれば、上記浮力付与手段により、貯水槽内（水中）において、上記回転部材の自重による上記支持部材との摩擦抵抗により、該回転部材が安定的に回転することなく、停止してしまう事態を有効に防止することができる。
【００２９】
なお、上記浮力付与手段は、少なくとも回転部材が貯水槽内に貯水された水中において浮力を付与する機能を有するものであれば良く、例えば、内部に気体が密閉された空洞部であっても良い。また、この浮力付与手段による回転部材全体の比重は１程度であれば良く、また、上記気体としては空気以外に、比重が低い水素ガスやヘリウムガスであっても良い。
【００３０】
また、第１０の発明（請求項１０記載の発明）は、貯水槽に係るものであって、水が貯水される貯水槽本体と、この貯水槽内に配置され該貯水槽内に水を給水する給水管と、上記給水管から離間した位置に配置され該貯水槽内の水を外部に排出する排水管と、を備え、上記給水管の先端には、上記第１ないし第９の発明の何れかに係る回転式吐水具が装着されていることを特徴とするものである。
【００３１】
この第１０の発明に係る貯水槽によれば、先に説明したように、回転部材が給水管からの水の給水圧力により、回転部材が回転しながら水は３６０度に亘って吐水され、こうして吐水された水は、上記排水管から貯水槽の外部に排水されることから、貯水槽内における水の停滞領域の発生を有効に解消することができ、ひいては常に飲用に適した水を安定的に供給することができる。
【００３２】
なお、上記貯水槽全体の外形形状は、立方体状、直方体状、或いは円柱状等のようにこれまで実施されている各種の形状とすることができる。また、こうした貯水槽内に配置された排水管の高さは、給水管からの給水が停止した場合であっても安定的に排水できるように、比較的低い位置とすることが望まく、また、貯水槽内の水が排出される方向についても下向きとされているものであっても水平方向とされているものであっても良い。一方、上記給水管の高さは、特に限定されるものではない。また、貯水槽内における上記給水管と排水管との間隔は、可能な限り離間したものとすることが望ましい。
【発明の効果】
【００３３】
本発明に係る回転式吐水具又は貯水槽によれば、貯水槽の内部構造を大幅に変更することなく、給水圧力が比較的低い場合であっても有効に水の停滞領域を解消し、ひいては飲用に適した水を安定的に供給することができる新規な貯水槽を提供することが可能となるとともに、ポンプ等を流路の途中に配置する必要性もなく、地震等の発生により停電した場合であっても、上記給水管から水が貯水槽内に給水される限り、貯水槽内における水の停滞領域を有効に解消することが可能となる。
【図面の簡単な説明】
【００３４】
【図１】貯水槽全体の構成を模式的に示す斜視図である。
【図２】図１に示す貯水槽を模式的に示す側断面図である。
【図３】第１の実施の形態に係る回転式吐水具を示す斜視図である。
【図４】図３に示す回転式吐水具を一部破断して示す分解斜視図である。
【図５】回転部材を示す斜視図である。
【図６】回転式吐水具を示す平断面図である。
【図７】第２の実施の形態に係る回転式吐水具を示す斜視図である。
【図８】図７に示す回転式吐水具を水平に破断して示す斜視図である。
【図９】図７に示す回転式吐水具を垂直に破断して示す斜視図である。
【図１０】第３の実施の形態に係る回転式吐水具を示す斜視図である。
【図１１】図１０に示す回転式吐水具の分解斜視図である。
【図１２】図１０に示す回転式吐水具の正断面図である。
【図１３】図１２に示す回転式吐水具の要部を拡大して示す正断面図である。
【図１４】図１０に示す回転式吐水具の平断面図である。
【図１５】第４の実施の形態に係る回転式吐水具を示す平面図である。
【図１６】貯水槽の他の例を模式的に示す斜視図である。
【図１７】図１０に示す貯水槽を模式的に示す側断面図である。
【発明を実施するための最良の形態】
【００３５】
以下、本発明に係る貯水槽について、図面を参照しながら詳細に説明する。先ず、第１の実施の形態に係る貯水槽１について詳細に説明する。
【００３６】
この第１の実施の形態に係る貯水槽１は、図１又は図２に示すように、それぞれ長方形状に成形された第１ないし第４の（４つの）側壁１ａ、１ｂ、１ｃ、１ｄと底板１ｅと天板１ｆとにより、全体の外形形状が直方体状に成形されているものであり、上記第１の側壁１ａと第４の側壁１ｄとにより形成された角部（符号は省略する。）の近傍に給水管２が上記底板１ｅから起立した状態で突設されている。この給水管２は、図示しない浄水が上流側から地中に埋設されて底板１ｅの下方位置にて上方に折曲された上流側管体（符号は省略する。）に基端が接続されているものであり、この例では、上記第１の側壁１ａと第４の側壁１ｄとにより形成された角部（符号は省略する。）の近傍に設けられている。この給水管２の上端は、該貯水槽１の中央の高さよりもやや上方に位置しているとともに、該給水管２の上端には、図３又は図４に示すように、４つの管側ボルト穴２ｂ・・・２ｅが穿設された管側フランジ部２ａが形成されている。また、この貯水槽１を構成する上記第２の側壁１ｂと第３の側壁１ｃとにより形成された角部（符号は省略する。）、すなわち、上記給水管２が配置された位置に近い角部とは反対側の角部には、この貯水槽１内に貯水された浄水を外部に排出する排水管３が配置されている。この排水管３の高さは、上記給水管２よりも低いものとされ、該貯水槽１内の浄水の水位が低下した場合であっても、外部に排水できるようにされている。
【００３７】
そして、上記給水管２の上端には、本発明を構成する回転式吐水具（第１の実施の形態に係る回転式吐水具）５が配置されている。なお、この回転式吐水具５は、ステンレススチールを素材としたものである。この回転式吐水具５は、図３に示すように、支持部材６と、この支持部材６により支持されながら回転する回転部材７とから構成されている。上記支持部材６は、図３又は図４に示すように、上記給水管２に形成された管側フランジ部２ａの上面に固定される固定フランジ部８と、この固定フランジ部８の上面から起立した第１ないし第４の支柱９・・・１２と、これら第１ないし第４の支柱９・・・１２の上端に固定された固定側円盤部１３と、を備えている。上記固定フランジ部８は、上記管側フランジ部２ａと同じ外径及び内径に成形されているものであり、該管側フランジ部２ａに穿設された上記４つの管側ボルト穴２ｂ・・・２ｅに挿通される図示しないボルトが挿通される（４つの）ボルト穴８ａ・・・８ｄが穿設されている。また、これらの各ボルト穴８ａ・・・８ｄの間の中間位置には、上記第１、第２、第３又は第４の支柱９・・・１２の下端側が螺着されるネジ穴（符号は省略する。）が形成されている。また、この固定フランジ部８の内側には、内径が該固定フランジ部８の内径と同じ寸法となされた円筒状ガイド部８ｅが起立されている。また、上記第１ないし第４の支柱９・・・１２は、それぞれ円柱状に成形されているものであり、両端側外周には、ネジ９ａ，９ｂ・・・１２ａ，１２ｂ（ネジ９ａ，９ｂ，１２ａ，１２ｂは図示しない。）が螺刻されている。
【００３８】
また、上記固定側円盤部１３は、上記固定フランジ部８の外径と略同じ外径に成形された円盤部１４と、この円盤部１４の外周から垂下している円筒部１５と、を備え、該円盤部１４の外周側中途部には、図４に示すように、上記第１、第２、第３又は第４の支柱９・・・１２の先端側が下方から挿通される円形状の挿通穴１４ａ・・・１４ｄ（１４ａ，１４ｄは図示しない）が形成されている。そして、上記挿通穴１４ａ・・・１４ｄに挿通された第１、第２、第３又は第４の支柱９・・・１２の上端には、外径が上記挿通穴１４ａ・・・１４ｄよりも長い袋ナット１８・・・２１（図３参照）が螺着されている。すなわち、上記固定フランジ部８と固定側円盤部１３とは、上記第１ないし第４の支柱９・・・１２によって一体化されている。また、上記固定側円盤部１３の中央には、円形状貫通穴（符号は省略する。）が形成されているとともに、該固定側円盤部１３の中央には、上方位置決め部材２４が固定されている。この上方位置決め部材２４は、上記円形状貫通穴を囲んでなり下端が固定側円盤部１３の上面に溶接された中央円筒部２４ａと、この中央円筒部２４ａの上端に外周が溶接された中央円盤部２４ｂとから構成されている。なお、上記中央円筒部２４ａ内は、本発明を構成する凹部である。
【００３９】
そして、上記支持部材６を構成する固定フランジ部８と固定側円盤部１３との間には、上記第１ないし第４の支柱９・・・１２により囲われた上記回転部材７が回転自在に配置されている。この回転部材７は、図４、図５又は図６に示すように、外側円筒部２７と、この外側円筒部２７の上端に外周が溶接されている回転側円盤部２８とを備えている。そして、上記回転側円盤部２８の中央の上面には、上端側が上記上方位置決め部材２４を構成する中央円筒部２４ａ内に挿入される位置決め凸部３１の下面が溶接されている。この位置決め凸部３１は、円柱状に成形された軸部３１ａと、この軸部３１ａの上端に形成され上面は半球状に成形された頭部３１ｂとから構成されており、該位置決め凸部３１の高さは、上記中央円筒部２４ａの高さよりも若干長いものとされている。また、上記外側円筒部２７の内側には、内側円筒部３２が形成され、この内側円筒部３２の上端には、上記回転側円盤部２８よりも小径となされ該回転側円盤部２８と平行に面対向している小径円盤部３３が形成されている。なお、上記外側円筒部２７と内側円筒部３２との中心は、何れも同じものとされている。また、上記内側円筒部３２の内径は、先に説明した円筒状ガイド部８ｅの外径よりも長尺とされている。そして、上記外側円筒部２７の下端と内側円筒部３２との下端には、円環状に成形された円環状底板部３５の外周端や内周端が固定され、該外側円筒部２７と内側円筒部３２との間に形成された空間は閉塞されている。
【００４０】
また、上記外側円筒部２７には円形状の開口（符号は省略する。）が形成され、また、上記内側円筒部３２には円弧状の開口（符号は省略する。）が形成されているとともに上記小径円盤部３３には長方形状の切欠き（符号は省略する。）が形成され、該外側円筒部２７から該内側円筒部３２及び小径円盤部３３には、この回転部材７内に流入した浄水を外部に吐水する円筒状の吐水管部３７，３７が二つ形成されている。換言すれば、これらの吐水管部３７，３７は、上記外側円筒部２７に形成された開口を囲んでいる部位と、上記内側円筒部３２に形成された円弧状の開口を囲んでいる部位と、上記小径円盤部３３に形成された切欠きを閉塞している部位とを備えているものであり、先に説明した給水管２の上端からこの回転部材７内に流入した浄水をそれぞれ水平方向に吐水するものである。なお、上記吐水管部３７，３７内の空間は、本発明を構成する吐水穴である。
【００４１】
そして、上記外側円筒部２７と、上記回転側円盤部２８と、上記円環状底板部３５と、上記内側円筒部３２と、上記小径円盤部３３と、上記吐水管部３７，３７とにより囲まれた空間は、空気が入った密閉空間とされた空洞部であり、この密閉空間（空洞部）内の空気（本発明を構成する浮力付与手段）により、この回転部材７に対して水中における浮力を付与している。
【００４２】
また、この回転部材７を構成する上記内側円筒部３２の下端側中途部には、図６に示すように、第１ないし第４の羽根板部３８・・・４１が設けられている。これら第１ないし第４の羽根板部３８・・・４１は、本発明を構成する変換手段であり、上記吐水管部３７，３７の形成位置よりも下方に形成されているものであって、それぞれ長方形状に成形された板体が傾斜して配置されているとともに、それぞれの一端は上記内側円筒部３２の内周面に溶接され、他端は角パイプ４３の各外側面に溶接されている。
【００４３】
したがって、上記給水管２の上端に上述した回転式吐水具５が配置された貯水槽１によれば、該給水管２の上端から上向きに浄水が給水されると、該浄水は上記内側円筒部３２内に流入するとともに、該浄水の水圧は、上記第１ないし第４の羽根板部３８・・・４１の傾斜した裏面に作用しながら該第１ないし第４の羽根板部３８・・・４１の間を通過して上方に移動し、その後上記それぞれの吐水管部３７，３７から外部に吐水される。この時、上方に移動する浄水の水圧が第１ないし第４の羽根板部３８・・・４１に作用する結果、上記回転部材７には回転力が付与される（給水管２から給水された浄水の給水圧力が回転部材７の回転力に変換される）とともに、該回転部材７は、上記中央円筒部２４ａの内周面と上記位置決め凸部３１の外周面とが僅かに摺接するとともに該位置決め凸部３１を構成する頭部３１ｂの上端と中央円盤部２４ｂの下面とが点接触しながら、また、上記内側円筒部３２の下端側内周面が上記円筒状ガイド部８ｅの外周面にガイドされながら回転し、浄水はこの回転するそれぞれの吐水管３７，３７から貯水槽１内に吐水される。したがって、この回転式吐水具５から吐水された浄水は、上記給水管２を中心に放射方向に流れ、その後、上記排水管３方向に流れる。こうした貯水槽１内の浄水の流れ・移動により、貯水槽１内における停滞領域（滞留領域）の発生を広範囲において解消することが可能となる。
【００４４】
特に、上記回転部材７は、上記外側円筒部２７と、上記回転側円盤部２８と、上記円環状底板部３５と、上記内側円筒部３２と、上記小径円盤部３３と、上記吐水管部３７，３７とにより囲まれた閉塞空間内には空気が存在することから、この回転部材７は貯水槽１内の浄水内における比重は１程度となり、該回転部材７の摩擦抵抗は相当程度軽減され、極めてスムーズに回転される。
【００４５】
次に、本発明に係る回転式吐水具の他の例を第２の実施の形態として説明する。この第２の実施の形態に係る回転式吐水具５１は、図７、図８又は図９に示すように、先に説明した給水管２の上端に形成され４つの管側ボルト穴２ｂ・・・２ｅが穿設された管側フランジ部２ａの上面に固定される支持部材５２と、この支持部材５２上に配置されボックス状に成形された回転部材５３と、この回転部材５３内に配置された縦円筒部５５と、一方及び他方の横円筒部５６，５７と、一方及び他方の湾曲吐水管５８，５９と、を備えている。
【００４６】
上記支持部材５２は、上記管側フランジ部２ａと同じ外径及び内径に成形されたものであり、該管側フランジ部２ａに穿設された上記４つの管側ボルト穴２ｂ・・・２ｅに挿通される図示しないボルトが挿通される（４つの）ボルト穴５２ａ・・・５２ｄ（ボルト穴５２ｃ，５２ｄは図示しない。）が穿設されている。また、この支持部材５２の内側には、内径が該支持部材５２の内径と同じ寸法となされた円筒状ガイド部５２ｆ（図９参照）が起立され、さらにこの円筒状ガイド部５２ｆの上端には、上記回転部材５３を上面で回転自在に支持する支持フランジ部５２ｇが形成されている。また、上記支持部材５２の下面の内周側には、下面が、後述する回転部材５３に形成された他方の円環状ガイド部５５ａの上面と摺接する一方の円環状ガイド部５２ｈが形成されている。
【００４７】
また、上記回転部材５３は、ステンレススチールを素材としたものであって、外形形状が水平方向に長さを有した箱状に成形され、長方形状に成形された天板部５３ａと、正面板部５３ｂと、図示しない背面板部と、左側板部５３ｄと、右側板部５３ｅと、底板部５３ｆ（図９参照）とを備えている。そして、この回転部材５３内には、図８又は図９に示すように、縦円筒部５５と、この縦円筒部５５に連通した一方の横円筒部５６と、上記縦円筒部５５に連通した他方の横円筒部５７とが形成されている。上記縦円筒部５５は、上記回転部材５３の中央において縦方向に長さを有した状態で形成されており、外径は上記支持部材５２の内径よりも若干短いものとされ、該縦円筒部５５の下端には、上面が、上記支持部材５２に形成された一方の円環状ガイド部５２ｈの下面と摺接する他方の円環状ガイド部５５ａが形成されている。また、上記縦円筒部５５の上端は、上記回転部材５３を構成する天板部５３ａの下面に溶接されており、中途部には、それぞれ同一の開口面積とされた円形状の左側開口と右側開口（符号は省略する。）が形成されている。また、上記一方の横円筒部５６と他方の横円筒部５７とは、それぞれ基端が上記縦円筒部５５に連通してなり、該縦円筒部５５を間に挟んで互いに対称形状に成形されたものであり、該一方の横円筒部５６の基端は、上記左側開口端に溶接され、その先端は上記左側板部５３ｄの中央からやや水平に突出している。また、上記他方の横円筒部５７の基端は、上記右側開口端に溶接され、その先端は上記右側板部５３ｅの中央から水平に突出している。
【００４８】
そして、上記一方の横円筒部５６の先端には、一方の湾曲吐水管５８の基端が溶接され、上記他方の横円筒部５７の先端には、他方の湾曲吐水管５９の基端が溶接されている。これら一方及び他方の湾曲吐水管５８，５９は、上記縦円筒部５５の下端側から流入し、上記一方又は他方の横円筒部５６，５７内に流入した浄水を、貯水槽１に貯水された浄水内において、回転部材５３の回転軌跡により形成される円の接線方向に水を吐水する吐水口が形成されたものであり、水中内におけるそれぞれの湾曲吐水管５８，５９の吐水口からの水の吐水により、この回転部材５３が平面視において時計回り方向又はその逆方向に回転するように構成されている。換言すれば、上記一方の湾曲吐水管５８と他方の湾曲吐水管５９は、平面視において、上記回転部材５３の回転中心を中心とした点対称に形成されている。
【００４９】
そしてまた、上記回転部材５３内であって、上記縦円筒部５５と、一方及び他方の横円筒部５６，５７の外周とにより囲まれた空間は、空気が入った密閉空間とさた空洞部であり、この密閉空間（空洞部）内の空気（本発明を構成する浮力付与手段）により、この回転部材５３に対して水中における浮力を付与している。
【００５０】
したがって、上記給水管２の上端に上述した回転式吐水具５１が配置された貯水槽１によれば、該給水管２の上端から上向きに浄水が給水されると、該浄水は上記縦円筒部５５内に流入した後に、上記一方の横円筒部５６と他方の横円筒部５７内に流入し、さらに該一方の横円筒部５６内に流入した浄水は、上記一方の湾曲吐水管５８の先端の吐水口から、また、上記他方の横円筒部５７内に流入した浄水は、上記他方の湾曲吐水管５９の先端の吐水口から吐水される。このように、貯水槽１内の水中において、それぞれの吐水口から浄水が吐水されると、これらの浄水は貯水槽１内に貯留されている浄水による反力により、上記回転部材５３は、上記支持部材５２の内周面と上記回転部材５３の縦円筒部５５の外周面とによりガイドされながら、図７中、時計回り方向（図９中、矢印方向）に回転させられる。また、このように回転させられる回転部材５３は、浄水中において、上記密閉空間（空洞部）内の空気により浮力が付与されているところ、該回転部材５３の縦円筒部５５に形成された他方の円環状ガイド部５５ａの下面と支持部材５２に形成された一方の円環状ガイド部５２ｈの上面とが互いにガイドされるともに係合することから、回転部材５３は縦円筒部５５の中心（給水管２の中心）を回転中心としながら、極めて小さな摩擦抵抗により回転する。
【００５１】
このように、上記給水管２の上端に、上述した回転式吐水具５又は回転式吐水具５１が配置された貯水槽１によれば、給水管２の上端から上向きに給水される浄水の給水圧力は、該貯水槽１内の浄水中において、上記回転部材７，５３に形成された変換手段により、該回転部材７，５３はモータやポンプ等のような特別な動力を使用することなく回転し、それぞれの吐水口から放射状に吐水される。したがって、上記貯水槽１によれば、該貯水槽１内における浄水の停滞領域は殆ど発生することがなく、常に飲用に適した水（浄水）を供給することができる。特に、上記回転部材７，５３には、先に説明したそれぞれの浮力付与手段が形成されていることから、該回転部材７，５３と上記支持部材６，５２との摩擦抵抗も極めて小さなものとなり、この結果、給水圧力が比較的低い場合であっても有効に水の停滞領域を解消することができる。しかも、上記回転式吐水具５又は回転式吐水具５１は、単にこれまで使用されている給水管２の上端に配置することのみで上記貯水槽１内における停滞領域の発生を解消することができ、モータやポンプ等のような特別な動力を使用するものではないことから、低コスト化に大きく貢献できるばかりか、地震等の発生により停電した場合であっても、上記給水管２から浄水が給水される限り、貯水槽１内における停滞領域の発生を解消することができる。
【００５２】
次に、本発明に係る回転式吐水具の他の例を第３の実施の形態として説明する。この第３の実施の形態に係る回転式吐水具６１は、図１０又は図１１に示すように、先に説明した給水管２の上端に形成され４つの管側ボルト穴２ｂ・・・２ｅが穿設された管側フランジ部２ａの上面に固定される円盤部材６２と、この円盤部材６２の上面に固定されその殆どが後述する回転部材の内部に配置された中央固定部材６３と、この中央固定部材６３の中心（中央）を回転中心として回転する回転部材６４と、この回転部材６４に固定された一方及び他方のメイン吐水管６５，６６と、を備えている。
【００５３】
上記円盤部材６２は、図１１に示すように、中央に円形状の開口６２ａが形成され、該円盤部材６２には、上記管側ボルト穴２ｂ・・・２ｅの間隔と同じ間隔で円盤側ボルト穴６２ｂ・・・６２ｅが穿設されている。また、上記中央固定部材６３は、円筒部６３ａと、この円筒部６３ａの下端に形成され上記円盤部材６２の上面に載置された中央固定部材側フランジ部６３ｂと、上記円筒部６３ａの上端の開口（符号は省略する。）を閉塞する円盤状天板部６３ｃと、を備えている。そして、上記円筒部６３ａには、上記給水管２からの水が流出する４つの開口６３ｄ・・・６３ｇが形成されている。また、上記中央固定部材側フランジ部６３ｂには、上記管側ボルト穴２ｂ・・・２ｅや円盤側ボルト穴と同じ間隔で、中央固定部材側ボルト穴６３ｈ・・・６３ｋが穿設されている。なお、上記支持部材６３を構成する円筒部６３ａの内径寸法は、図１２又は図１３に示すように、上記給水管２、管側フランジ部２ａ、円盤部材６２の内径寸法よりも大径となされている。
【００５４】
そして、上記管側フランジ部２ａと上記円盤部材６２と上記中央固定部材側フランジ部６３ｂとは、図１２又は図１３に示すように、上記管側ボルト穴２ｂ・・・２ｅ、上記円盤側ボルト穴６２ａ・・・６２ｄ、上記中央固定部材側ボルト穴６３ｈ・・・６３ｋに、それぞれ上方から軸部６８ｂが挿通された４つのボルト６８とこのボルト６８に螺着されたナット６９により固定されている。なお、上記４つのボルト６８の頭部６８ａの上面は水平面となされている。そして、上記４つのボルト６８の頭部６８ａ上には、中空状に成形された下側円盤状部材８１が、上記中央固定部材６３の円筒部６３ａの下側中途部に外嵌挿された状態で載置されている。なお、この下側円盤状部材８１は、後述するように、回転部材６４を上面において回転可能に支持するものであり、本発明を構成する支持部材である。
【００５５】
また、上記回転部材６４は、ステンレススチールを素材としたものであって、図１０又は図１１に示すように、外形形状が水平方向に長さを有した箱状に成形され、長方形状に成形された天板部６４ａと、正面板部６４ｂと、背面板部６４ｃと、左側板部６４ｄと、右側板部６４ｅと、底板部６４ｆ（図１４参照）とを備えている。そして、上記天板部６４ａの中央には、円形状の開口（符号は省略する。）が形成され、また、上記底板部６４ｆの中央には、円形状の開口（符号は省略する。）が形成されている。また、上記左側板部６４ｄの中央には、一方の管固定用外側開口（符号は省略する。）が形成され、上記右側板部６４ｅの中央には、他方の管固定用外側開口（符号は省略する。）が形成されている。そして、上記回転部材６４内には、図１２又は図１４に示すように、上記底板部６４ｆから起立してなる縦円筒部６４ｇが形成されている。なお、この縦円筒部６４ｇは、上記開口の内径よりも大径状に成形されたものである。また、この縦円筒部６４ｇの左側には、一方の管固定用内側開口６４ｈが形成され、該縦円筒部６４ｇの右側には、他方の管固定用内側開口６４ｉが形成されている。これら一方及び他方の流入用開口６４ｈ，６５ｉは、それぞれ円形状となされている。
【００５６】
そして、図１２に示すように、上記一方のメイン吐水管６５の基端は、上記一方の管固定用内側開口６４ｈに固定され、その中途部は、上記一方の管固定用外側開口に固定され、該一方の管固定用外側開口に固定された部位から先端までは外部に露出している。また、上記他方のメイン吐水管６６の基端は、上記他方の管固定用内側開口６４ｉに固定され、その中途部は、上記他方の管固定用外側開口に固定され、該他方の管固定用外側開口に固定された部位から先端までは外部に露出している。なお、上記一方及び他方のメイン吐水管６５，６６は、何れも直線状に成形されてなるものであり、また、この例では、該一方及び他方のメイン吐水管６５，６６の先端には基端から先端に亘って徐々に拡径された拡径部６５ａ，６６ａが形成されている。なお、上記一方及び他方のメイン吐水口６５，６６は、上記回転部材６４の回転中心を中心として放射方向に形成されてなるものであり、該回転中心を中心として左右方向に形成されたものである。また、上記一方のメイン吐水管６５と他方のメイン吐水管６６の先端は、本発明を構成するメイン吐水口である。
【００５７】
そして、上記一方のメイン吐水管６５の先端側中途部には、後述する回転部材６４の回転方向とは反対方向に、該一方のメイン吐水管６５の内径よりも小径とされた一方の小径穴（符号は省略する。）が形成され、この一方の小径穴には、一方のサブ吐水管７１の中途部が固定されている。また、他方のメイン吐水管６６の先端側中途部には、後述する回転部材６４の回転方向とは反対方向に、該他方のメイン吐水管６６の内径よりも小径とされた他方の小径穴（符号は省略する。）が形成され、この他方の小径穴には、他方のサブ吐水管７２の中途部が固定されている。上記一方及び他方のサブ吐水管７１，７２は、本発明を構成する変換手段であり、図１２又は図１４に示すように、上記一方のメイン吐水管６５や他方のメイン吐水管６６の中央において該一方のメイン吐水管６５や他方のメイン吐水管６６の長さ方向と同じ方向に長さを有するガイド管部７１ａ，７２ａと、このガイド管部７１ａ，７２ａからＬ状に折曲され中途部からその先端の吐水口までは外部に露出されてなる吐水管部７１ｂ，７２ｂとから構成されている。なお、上記ガイド管部７１ａ，７２ａは、本発明を構成するガイド部である。
【００５８】
そして、上記回転部材６４内には、天板部６４ａと、正面板部６４ｂと、背面板部６４ｃと、左側板部６４ｄと、右側板部６４ｅと、底板部６４ｆと、上記縦円筒部６４ｇと、上記一方及び他方のメイン吐水管６５，６６の外周とにより囲まれた空間は、空気が入った密閉空間とさた空洞部６４ｍが形成され、この空洞部６４ｍ内の空気（本発明を構成する浮力付与手段）により、この回転部材６４全体に対して水中における浮力を付与している。
【００５９】
したがって、後述するように、上記縦円筒部６４ｇ内に流入した水は、上記一方及び他方の流入用開口６４ｈ，６５ｉから上記一方及び他方のメイン吐水管６５，６６内に流入し、その多くは、該一方及び他方のメイン吐水管６５，６６の先端のメイン吐水口から放出されるとともに、該一方及び他方のメイン吐水管６５，６６内に流入した水の一部は、上記ガイド管部７１ａ，７２ａ内を通過して、上記吐水管部７１ｂ，７２ｂの先端の吐水口から放出される。こうした一方及び他方のサブ吐水管７１，７２の先端からの吐水により、上記回転部材６４全体は、貯水槽内において一方及び他方のサブ吐水管７１，７２の先端からの吐水方向とは反対方向に回転する。
【００６０】
また、先に説明した上記中央固定部材６３の円筒部６３ａの上端側は、図１２に示すように、上記回転部材６４を構成する天板部６４の円形状の開口から上方にやや突出され、この突出した円筒部６３ａの天板部６３ａの上面には、図１０又は図１３に示すように、中空状に成形された上側円盤状部材８２が、ボルト７４及びナット７５により固定されている。上記上側円盤状部材８２は、上記下側円盤状部材８１と同一形状に成形されてなるものである。
【００６１】
一方、上記回転部材６４を構成する天板部６４ａには、図１３に示すように、それぞれ上端が上記上側円盤状部材８２の下面に当接し、後述するように回転部材６４が回転する際には該上端が上側円盤状部材８２の下面に摺接する４つの上側摺接支持部材７８が固定されている。また、上記回転部材６４を構成する底板部６４には、それぞれ下端が上記下側円盤状部材８１の上面に当接し、後述するように回転部材６４が回転する際には該下端が下側円盤状部材８１の上面に摺接する４つの下側摺接支持部材７９が固定されている。なお、上記それぞれ４つの上側摺接支持部材７８及び下側摺接支持部材７９の固定位置は、上記回転部材６４を構成する縦円筒部６４ｇの内側とされている。
【００６２】
したがって、上記給水管２の上端に、上述した回転式吐水具６１が配置された貯水槽１によれば、給水管２の上端から上向きに給水される浄水の給水圧力は、該貯水槽１内の浄水中において、上記回転部材６４に形成された変換手段である上記一方及び他方のサブ吐水管７１，７２の先端の吐水口からの吐水により、該回転部材６４はモータやポンプ等のような特別な動力を使用することなく、該一方及び他方のサブ吐水管７１，７２の先端の吐水口からの吐水方向とは反対方向に回転し、また、上記メイン吐水管６５，６６の吐水口から放射状に吐水される。したがって、上記貯水槽１によれば、該貯水槽１内における浄水の停滞領域は殆ど発生することがなく、常に飲用に適した水（浄水）を供給することができる。特に、上記回転部材６４には、先に説明したそれぞれの浮力付与手段が形成されていることから、該回転部材６４と下側摺接支持部材７９との摩擦抵抗も極めて小さなものとなり、この結果、給水圧力が比較的低い場合であっても有効に水の停滞領域を解消することができる。しかも、上記回転式吐水具６１は、単にこれまで使用されている給水管２の上端に配置することのみで上記貯水槽１内における停滞領域の発生を解消することができ、モータやポンプ等のような特別な動力を使用するものではないことから、低コスト化に大きく貢献できるばかりか、地震等の発生により停電した場合であっても、上記給水管２から浄水が給水される限り、貯水槽１内における停滞領域の発生を解消することができる。
【００６３】
なお、上記第３の実施の形態に係る回転式吐水具６１を構成する上記一方及び他方のメイン吐水管６５，６６は、何れも上記回転部材６４の回転中心から放射方向に長さを有してなるものであるが、本発明を構成する前記変換手段は、第４の実施の形態として図１５に示す回転式吐水具９１のように、前記回転部材６４の回転中心から放射方向とは傾斜し、先端には前記吐水口を有する複数の（一方及び他方の）傾斜吐水管９３，９４を備えてなるものであっても良い。すなわち、図１５に示す回転式吐水具９１は、上記回転部材６４の回転中心から放射方向とされる二点鎖線との間で、上記一方及び他方の傾斜吐水管９３，９４の長さ方向が所定角度（θ）傾斜してなるものであり、上記一方及び他方のサブ吐水管７１，７２が構成要素とされていないものである。そして、上記回転式吐水具９１は、水中内における上記一方及び他方の傾斜吐水管９３，９４の先端の吐水口からの吐水により、該回転部材９１が、図１５中において反時計回り方向に回転するように構成されたものである。
【００６４】
上記第４の実施の形態に係る回転式吐水具９１においても、上記各実施の形態に係る回転式吐水具１，５，５１，６１と同じように、上記給水管２から浄水が給水される限り、貯水槽１内における停滞領域の発生を解消することができる。
【００６５】
なお、図１では、給水管２の上端が比較的高い位置に形成され、この給水管２の上端に上記回転式吐水具５を配置した例を示して説明したが、上記給水管２の高さ位置は、図１６又は図１７に示すように、排水管３の高さ位置と同程度の高さ位置とし、この給水管２に上記回転式吐水具５（又は上記回転式吐水具６１，９１）を配置したものであっても良い。
【符号の説明】
【００６６】
１  貯水槽
２  給水管
３  排水管
５  回転式吐水具
６  支持部材
７  回転部材
１３  固定側円盤部
２８  回転側円盤部
３１  位置決め凸部
３８・・・４１  第１ないし第４の羽根板部
３７  吐水管部
５１  回転式吐水具
５８  一方の湾曲吐水管
５９  他方の湾曲吐水管
６１  回転式吐水具
６４  回転部材
６４ｍ  空洞部
６５  一方のメイン吐水管
６６  他方のメイン吐水管
７１  一方のサブ吐水管
７２  他方のサブ吐水管
８１  下側円盤状部材
９１  回転式吐水具
９３  一方の傾斜吐水管
９４  他方の傾斜吐水管
【図１】
2019108780.tif 000003
【図２】
2019108780.tif 000004
【図３】
2019108780.tif 000005
【図４】
2019108780.tif 000006
【図５】
2019108780.tif 000007
【図６】
2019108780.tif 000008
【図７】
2019108780.tif 000009
【図８】
2019108780.tif 000010
【図９】
2019108780.tif 000011
【図１０】
2019108780.tif 000012
【図１１】
2019108780.tif 000013
【図１２】
2019108780.tif 000014
【図１３】
2019108780.tif 000015
【図１４】
2019108780.tif 000016
【図１５】
2019108780.tif 000017
【図１６】
2019108780.tif 000018
【図１７】
2019108780.tif 000019